(57)【要約】【課題】通水流を効率的に攪拌して活水化のために必要な水分子との接触頻度を高めた活水化モジュール、及びこれを用いた活水装置を提供する。【解決手段】活水化モジュールは、機能性鉱物を樹脂基材に混合させて成形した管体と、該管体の内外側面の両面側に形成した複数の凹凸部と、管体の側面を開口させた複数の通水口とから構成する。活水化モジュールの管体の内側には、流路中に置いた場合に管内流の流路を変える複数の変流手段を管軸方向に連結させて配設する。変流手段は管体と同様の材質で形成したものであって、管体の内側面へ着脱自在であると共に、流体の流れを旋回させる複数の変流羽根を有する。活水装置は、上記構成の活水化モジュールを、この外側面と配管内面壁との間に流体の流路と成り得る間隙を設けて配管内に配置して構成する。【選択図】      図１
2009125451.tif 000002
【特許請求の範囲】
【請求項１】
活水機能を発揮し得る１種または２種以上の鉱物を樹脂基材に混合させて成形して成る管体と、
該管体の内外側面の片面側または両面側に形成した複数の凹部または凸部と、
前記管体の側面を開口させた１または２以上の通水口と、
から成ることを特徴とする活水化モジュール。
【請求項２】
複数の凹部または凸部が、
管体側面を１周回の凹部または凸部の多数個を連続させて管軸方向に形成したもの、または螺旋状に連続させて形成したものであることを特徴とする請求項１記載の活水化モジュール。
【請求項３】
活水化モジュールが、
管軸の垂直方向に２以上の分離が可能であることを特徴とする請求項１、または２記載の活水化モジュール。
【請求項４】
活水化モジュールの分割が、
管軸に沿った分割端面で２分割していることを特徴とする請求項３記載の活水化モジュール。
【請求項５】
１、２、３、または４記載の活水化モジュールの管体内に、さらに管内流の流路を変える変流手段を配設したことを特徴とする活水化モジュール。
【請求項６】
変流手段が、
管体の内側面へ着脱自在であることを特徴とする請求項５記載の活水化モジュール。
【請求項７】
変流手段が、
活水機能を発揮し得る１種または２種以上の鉱物を樹脂基材に混合させて成形して成ることを特徴とする請求項６記載の活水化モジュール。
【請求項８】
変流手段が、
旋回変流手段であることを特徴とする請求項５、６、または７記載の活水化モジュール。
【請求項９】
旋回変流手段が、
リング状の外環部と、
該外環部の中心に位置するロッド状の軸部と、
該軸部から外環部へ放射状に架設させた複数枚の変流羽根と、
から成る旋回変流器であることを特徴とする請求項８記載の活水化モジュール。
【請求項１０】
変流羽根が、
管軸を廻る旋回流を引き起こさせる傾斜面、または曲面であることを特徴とする請求項９記載の活水化モジュール。
【請求項１１】
旋回変流器の保持が、
外環部の上記凹凸部への嵌合であることを特徴とする求項８、９、または１０記載の活水化モジュール。
【請求項１２】
旋回変流器の配置が、
各軸部どうしを連結させた連続配置であることを特徴とする請求項９、１０、または１１記載の活水化モジュール。
【請求項１３】
旋回変流器の連続配置において、
管軸から見た前記変流羽根の相対的な位置関係が、所定角度ずつ軸回転させた配置であることを特徴とする請求項９、１０、１１、または１２記載の活水化モジュール。
【請求項１４】
請求項１乃至請求項１３の何れかに記載する活水化モジュールを、流体の配管内に配置したものであって、該活水化モジュールの配置は互いの管軸を揃えると共に、該活水化モジュールの外側面と配管内面壁との間に流体の流路と成り得る間隙を設けて配置したことを特徴とする活水装置。
【請求項１５】
活水化モジュールの配置が、
複数個を直列または並列に連結して配置したことを特徴とする請求項１４記載の活水装置。
【請求項１６】
複数個のモジュールが、
樹脂基材に混合させる鉱物の配合割合を変えた異種の活水化モジュールの組み合わせであることを特徴とする請求項１５記載の活水装置。
【発明の詳細な説明】
【技術分野】
【０００１】
本発明は、液体、気体、流動体などの流体全般に適用可能であるが、特に、水、洗浄液、油液、などの液体流と接触して活性のある液体へ変質させる活水化モジュール、及びこれを用いた活水装置に関する。
【背景技術】
【０００２】
山間部に降った雨や積雪が地中に浸透した地下水は、やがて湧き水となり川の源流を形成する。この過程において、この水は鉱物や岩石からの遠赤外線やマイナスイオン作用、磁気作用により水分子の水素結合集団（クラスタ）が細分化されて、岩への衝突や滝からの落下などの水分子同士の摩擦から生じた電子を受け取り還元性の水となっていわゆる活性力を持った水（以下「活水」）となる。この活水は、管内の錆やスラッジの発生防止や洗浄作用、植物や野菜の鮮度維持や成長促進作用、及び人や動物の生理機能を高める健康増進作用、等の種々の機能的効果（以下「活水効果」）を有することが経験的に知られており、なおかつ現在においても、未知な有効的の機能効果が発見又は推定されつつあるところである。【０００３】
しかし、この活水効果の維持はそれほど長く続かず、時間の経過に伴って種々の機能が失われていくという課題がある。そのため、この活水効果の付与と維持を目的として流水空間や貯留空間に遠赤外線や微弱放射線を放射するセラミック材を配置したり、又は電場・磁場の形成手段を設置したりして、流水や貯留水を活性化する装置（以下、「活水装置」と称する。）が実用化されていた。【０００４】
例えば、特許文献１には、水道水の通水管等に介在可能な筒体内に、流通小孔を形成した近似遠赤外線放射セラミック盤群を回転自在にかつ多層状に配置し、この各セラミック盤をその盤上に形成した衝当羽により回転させる活水装置が開示されている。【０００５】
他にも、特許文献１の発明と同様に水道水の通水管等に介在可能なパイプ内に、水流によって軸回転する螺旋体を配置し、この螺旋体の間隙に活水材から構成したセラミック片を充填する構成の活水装置が開示されている（例えば、特許文献２参照。）。
【特許文献１】特開２０００−１０７７５２（第２−３頁、第１図）
【特許文献２】特開平１１−４７７３６（第２−３頁、第１図）
【発明の開示】
【発明が解決しようとする課題】
【０００６】
しかしながら、従来の活水装置は、流路内で攪拌作用を促す等して高い活水化状態を得るために、活水装置の流路内において回転しつつ攪拌機能を得る、特許文献１であるならセラミック盤や衝当羽、特許文献２であるなら螺旋体の配置やセラミック片の充填を行なっており、内部構造が複雑化してしまう問題点があった。【０００７】
この様な内部構造が複雑化した活水装置は、部品点数の増加や組立行程の煩雑さを招き、機能の信頼性が低くその維持と保守に課題があることに加え、導入価格及び維持管理費用の高価格化の課題もあった。また、設置現場に応じた設計仕様の変更、及び設置後の処理容量の変更に対しても適宜迅速に対応することが困難であった。【０００８】
そこで、本願発明は、このような課題に着目してなされたものであり、簡易な構造でありながら、通水流を効率的に攪拌して活水化のために必要な水分子との接触頻度を高めた活水化モジュール、及びこれを用いた活水装置を提供するものである。
【課題を解決するための手段】
【０００９】
上記課題を解決するため、本願に係る発明は、以下のように構成している。【００１０】
先ず、活水化モジュール（以下、「モジュール」と略称する。）は、活水機能を発揮し得る１種又は２種以上の鉱物（以下、「機能性鉱物」と称する。）を樹脂基材に混合させて成形した管体と、該管体の内外側面の片面側又は両面側に形成した複数の凹部または凸部と、前記管体の側面を開口させた１又は２以上の通水口と、から構成したことを特徴としている。【００１１】
この管体の成形は、樹脂を基材として型成形によって行なわれ、粉状、流状、又は流動状の樹脂原料に遠赤外線や微弱放射線などを放射する鉱物の１種又は２種以上を適宜の割合で配合させた粉粒体を混合・混練して用いる。【００１２】
上記凹凸部は、管体の内外側面の何れの面にそれぞれに形成しても良いが、好ましくは、内面側と外面側の凹部と凸部が交互に対応させたもの、別言すると内面側の凹部が外面側の凸部と成るように、いわゆる波型に形成するのが良い。また、複数個の凹部または凸部の配設としては、管体側面を１周回する環状の凹部または凸部を管軸方向に隣接させて多数個を配置する構成としても良く、または管体側面を螺旋状に周回した一連の凹凸状としても良い。【００１３】
さらに、上記モジュールは、管体を一体成形しても良いが、管軸の垂直方向に複数個に分離を可能に構成したことを特徴としている。この分割は管軸方向に沿った分割端面を持って２分割又はそれ以上の複数分割としても良いが、好ましくは、成形型枠を考慮して、分割方向を管軸に沿わして同一形状に２分割する、いわゆる半割構成とするのが良い。【００１４】
次に、上記した各仕様からなるモジュールの管体の内側には、流路中に置いた場合に管内流の流路を変える変流手段を配設したことを特徴としている。この変流手段は、管体と一体成形としても良いが、管体の内側面へ着脱自在であることを特徴としている。この変流手段を別体で形成した場合は、上記管体と同様の材質、すなわち上記の機能性鉱物を樹脂基材に混合させて成形するのが、より好ましいものである。また、この変流手段は、単なる流れに対する邪魔板用のものの他に、流れを旋回させる旋回変流手段であることを特徴とする。【００１５】
そして、この旋回変流手段の構成は、リング状の外環部と、該外環部の中心に位置するロッド状の軸部と、該軸部から外環部へ放射状に架設させた複数枚の変流羽根と、から成る旋回変流器であることを特徴としている。【００１６】
また、この変流羽根は、管内流に対して管軸方向への螺旋状の流路に変向させる羽根の傾斜面を有すること、別言すると管軸を廻る旋回流（螺旋状の流路）を引き起こさせ２次元の傾斜平面又は曲面、または３次元曲面で形成したことを特徴としている。【００１７】
この旋回変流器の保持は、旋回変流器の外環部を上記モジュールの管体内側面に形成した凹凸部へ嵌合させることにより、着脱可能にして行なうことを特徴とする。そして、この旋回変流器の取付け配置は、管体内に一定間隔を設けてそれぞれ独立した状態で配置しても良いが、その他、旋回変流器の各軸部の端部どうしを互いに連結させた連続配置とすることが好ましい特徴である。この場合の連続配置においては、管軸から見た前記変流羽根の相対的な位置関係が、所定角度ずつ軸回転させた位置関係であることがより好ましい構成である。【００１８】
次に、本願発明に係るモジュールの関連発明となる活水化装置は、上記各仕様構成のモジュールを、水や油液などの流体の配管内に配置したものであり、モジュールを互いの管軸を揃えると共に、該モジュールの外側面と配管内面壁との間に流体の流路と成り得る間隙を設けて配管内に配置したことを特徴としている。【００１９】
この場合、モジュールの配置は、単一個の配置でも良いが、さらに複数個のモジュールを直列又は並列に連結して配管内に配置する構成としても良い。この複数個の配置の場合において、樹脂基材に混合させる鉱物の配合割合を変えた異種のモジュールの組み合わせとしても良い。
【発明の効果】
【００２０】
本願発明のモジュール及び活水装置は、上記構成により、以下の効果を奏する。【００２１】
モジュールを水、洗浄水、または液体燃料やガス体、等の流体の流路中に管軸を沿わして配置することにより、樹脂基材に混合した鉱物から放射されるイオン線、磁力線、遠赤外線、微量放射線、などの作用によって流体を活水化させることができる。モジュールを管体状に形成すると共に、その側面の片面側又は両面側には流れを乱す凹凸部を形成しているため、側面に沿った流れを攪拌させて流体粒子のモジュールへの接触を頻発させ、活水化作用を促進させることができる。側面を開口させた１箇所または２箇所以上に通水口を形成しているため、撹拌された流体は通水口を通して管体の内側と外側においても交流してより活発な撹拌と接触が起こり、より効果的な活水化を図ることができる。【００２２】
また、モジュールの形態を分割体として構成することより、組み付けの利便性が増し、かつメンテテンスも容易となる利点がある。また、管体を管軸に沿って、または対向する母線を分割線とする同形状の２分割、すなわち半割り状態とすれば、より組み立て性が良くなると共に、型枠の簡略化を図ることもできる。【００２３】
また、さらにモジュールの管内には着脱自在な変流手段を配設しているため、管内流をより攪拌することができる共に、適宜の位置に配置することができる。この変流手段を旋回変流器とした場合は、管内流を旋回流または渦流とすることにより、管体の内外の交流を活発にすることができると共に、管内の停滞時間を長くしてより管体や旋回変流器との接触時間を長くすることができ、その結果、流体の活水化をより効果的に行なうことができる。特に、旋回変流器の材質自体にも上記機能性鉱物を混合させている場合は、より顕著な効果を期待することができる。【００２４】
さらに、この旋回変流器は、互いの軸部を連結させて管軸に沿って等間隔で直列状に配設し、かつ変流羽根を旋回方向へ傾斜または曲面により形成しているため、より定常的な旋回流を起こさせることができ、管内の一定の滞留時間を確保しながらも、スムーズな流れを確保することできる。【００２５】
次に、これらモジュールを用いた活水装置は、従来の配管路中に自由な位置に管路と直列にして連結することができ、非常に汎用性の高いものとすることができる。
【発明を実施するための最良の形態】
【００２６】
以下、本願発明に係るモジュール、これを用いた活水装置（以下、「本装置」と略称する。）に関し、最良の形態について図面に基づき詳細に説明する。【００２７】
図１は、本装置の全体構成を示すと共に一部を切り欠いて内部構成を示した切欠き斜視図であり、図２は２分割状態のモジュールとその内部に配置する旋回変流器の配置と組み付け状態を示す分解斜視図である。図３は旋回変流器の外観の構成を示した切欠き斜視図であり、図４はモジュールに取り付け状態の旋回変流器を軸部方向から見た平面図である。そして、図５はモジュールの連結構造を示す管軸に沿った縦断面図であり、図６は本装置の流路を説明する切欠き縦断面である。【００２８】
本装置Ａは、本発明の主要な機能を発揮するモジュール１を内包する円筒状の外套管２と、該外套管２の両端開口に取り付けた接続管３とから構成している。【００２９】
この接続管３は、一端側を外套管２の開口端に冠状に被さって水密に閉塞すると共に着脱可能な仕様（例えば、嵌合または螺合）に構成しており、他端側には系外の管路へ繋がる通水管ｐと螺合接続するための内溝ネジ３０を成形している。【００３０】
本装置Ａは、通常は、上水、中水、下水、洗浄水、又は液体燃料やガス体、等の流体供給管の途中に直列又は並列にして配置するものである。その接続箇所は一カ所又は複数カ所を問わない。【００３１】
モジュール１は、本体が樹脂形成によって形成される管体１０と、その側面に形成した凹凸部１１と、管体１の側面を貫通して配設した通水口１３とから成る。該モジュール１は上記外套管２の略同軸上に配置され、モジュール１の外側面と外套管２の内面壁２０との間には一定の間隙を設けている。この場合、図示は省略するが、複数個のモジュール１を互いの両端で結合して、直列状に配置しても良い。この場内の連結構造は後述する。【００３２】
また、モジュール１は、活水機能を発揮する１種又は２種以上の機能性鉱物を樹脂基材に混合させて両端開放の筒状（又は、管状）に形成している。本実施例のモジュール１は、管体１０の管軸を対称軸として対向した母線に沿った分割した２つの分割体１０ｄの組合せによって形成している。【００３３】
このモジュール１は樹脂材を原料とした型枠成形によって製造されるが、この樹脂材にさらに、例えば、イオン線、磁力線、遠赤外線、各種の微量放射線を放射する物性を有する機能性鉱物を粉末状又は細粒状にして混合させている。この機能性鉱物としては、例えば、ブラックシリカ（黒鉛硅石）、黒曜石、麦飯石、トルマリンなどが挙げられる。そして、混合させる鉱物は、１種に限定するものではなく、対象とする液体や処理容量、などを考慮して、選択した２種以上のものを配合させて使用している。このようにして成形したモジュール１は、機能性鉱物を含む側面部材と接触したり、又は放射線を受けたりして流体をより活水化させている。なお、モジュール１の樹脂基材は、例えば、ナイロン、ウレタン、シリコン、等が用いられる。【００３４】
管体状のモジュール１は、２個の分割体１０ｄの組み立てによって形成しており、各分割体１０ｄの一方側の分割端面１２に形成した複数個の突起１２ａと、対向した他方側の分割端面１２に形成した嵌合孔１２ｂとを、互いに嵌合させることによって形成している。【００３５】
この管状のモジュール１の内外側面（管の内外）には、側周面を管軸と垂直に１周回させた環状の凹凸部１１を管延長方向（又は管軸方向）へ所定間隔で（又は隣接させて）繰り返して形成している。その外観形態は、いわゆる蛇腹状を呈している。このように内外の側周面を凹凸状に形成することにより、管体１０の内側面及び外側面に沿う流れを乱して乱流状態として撹拌させる。これにより流体の分子との接触する機会を増やして活水化をより促進することができる。【００３６】
上記凹凸部１１の形成は、上記内外側面のいずれか一方側の面のみに形成しても良いが、より活発な撹拌状態とするため内外側に形成するのが好ましい。【００３７】
また、モジュール１の円筒状の側面には、内外側を貫通させた通水口１３を形成している。この通水口１３の形状、形成位置、及び個数は、流体の粘度、流量、流速、等を考慮して適宜に選択して設定される。【００３８】
モジュール５の両端部付近の外側面には、周回４分割する位置で放射方向に突出させた複数個のスペーサーピン１４を植設している。このスペーサーピン１４により、外套管２の内面壁２０とモジュール１の外側面とに間隙を確保している。この空間内においても管軸に沿った流れが生じ、上記通水口１３を介した内外側流の交流によって、広範囲な流体の移動と攪拌が行なわれる。【００３９】
モジュール１は、単一で外套管２の内部に配置しても良いが、より汎用性を持たせるため、直列に連結させる構造を採っている。すなわち、図５に断面図として示すように、一端の縁部の内周壁に所定幅で周回させた凹部からなる嵌合凹部１５を形成し、この凹部と嵌合する嵌合凸部１６を他端の縁部の外周壁に周回状に形成している。この嵌合凹部１５と嵌合凸部１６との適合により、複数個のモジュール１を直列状に連結させている。【００４０】
次に、上記構成のモジュール１には、内部を空間のままでも十分に本発明の目的作用を達成することができるが、さらに効率的にするため、管内の通水流路を変向させる変流手段を配設している。この変流手段は、管内の流れを乱して攪拌をより活発にさせることを目的とするものである。したがって、図示は省略するが、単なる邪魔板的をものの配置、又は管軸と垂直な面をもった多孔板、等の配設が考えられる。【００４１】
しかし、単なる流路を攪乱させるだけのものではなく、攪拌と共に旋回変流を引き起こして流速を必要以上に弱めない旋回変流手段であることがより好ましい構成である。【００４２】
かかる旋回変流手段として本実施例では、以下の構成の旋回変流器４（以下、「変流器」と略称する。）を提案している。【００４３】
変流器４は、図３に示すように、円環状（又はリング状）の外環部４０と、外環部４０の中心に位置する所定長さの棒状（又はロッド状）の軸部４１と、該軸部４１から前記外環部４０へ放射状に架設させた複数枚の変流羽根４２とから構成している。【００４４】
この変流羽根４２の配置は、軸部４１から放射状に等分割した６枚を配設している。この各変流羽根４２は管軸を廻る旋回流を引き起こさせる３次元の曲面を持って形成している。すなわち、管軸方向の湾曲と管軸垂直方向の湾曲を持たせている。これによって外環部４０内を通過してきた流れは、変流羽根４２よって流路が変更されて管軸の周りを右回転しながら流れていくこととなる。この変流器４のモジュール１内への取り付け保持は、外環部４０の外周縁４０ｅを上記管体１０の内周面に形成した凹凸部１１に嵌合させて行なわれる。この取り付け位置としては、管体１０に管軸方向に対して互いに一定の離隔距離を持って複数を配置しても良いが、図示するように軸部４１を連結させて連続的に配置するのが好ましい実施例である。このため、軸部４１の両端面には、一方に連結用の凸部４１ｂと他方に連結用の凹部４１ｄを形成している。また、この凸部４１ｂと凹部４１ｄの横断面形は円柱状より矩形状に形成することが好ましい。このよう連結構造としたのは、変流羽根４２が水流に与えた旋回力の反作用力によって変流器４自体が自転してしまうことを阻止するためである。別言すると、水流の持っている速度エネルギーを変流器４の自転で消費させないようにするためである。【００４５】
また、図４に示すように、変流器４を連続的に連結させた場合に、管軸から見た変流羽根４２の相対的な位置関係が、所定角度ずつ軸回転させた位置関係となるように、軸部端面への凸部４１ｂと凹部４１ｄとの形成位置に変化を加えている。これにより、よりスムーズな旋回流を形成することができる。【００４６】
なお、この変流器４は、上記モジュール１の管体１０と同様の材質、すなわち上記の機能性鉱物を樹脂基材に混合させて成形するのが、より好ましいものである。【００４７】
次に、活水装置として機能させることを目的とした本装置Ａの実施形態例は、外套管２の内面壁２０と一定の離隔距離を持ってモジュール１を外套管２の内部に略同軸上（又は略管軸上）に配置したものである。概観すると、二重管構造と言うことができる。【００４８】
上記形態のモジュール１は、本装置Ａの主要な部分を占める構成要素であり、それ自体が上水等を活水化させる機能を発揮する機能性部材である。そのため、このモジュール１の形成において、樹脂基材に混合させる機能性鉱物の配合割合を変えることにより、異なる機能を持たせた異種のモジュール１を形成することができる。また、管体１０の分割体１０ｄ、１０ｄ毎に異なる配合で成形しても良い。
【図面の簡単な説明】
【００４９】
【図１】本装置の全体構成を示すと共に一部を切り欠いて内部構成を示した切欠き斜視図である。
【図２】２分割状態のモジュールとその内部に配置する変流器の配置と組み付け状態を示す分解斜視図である。
【図３】変流器の外観の構成を示した切欠き斜視図である。
【図４】モジュールに取り付け状態の変流器を軸部方向から見た平面図である。
【図５】モジュールの連結構造を示す管軸に沿った縦断面図である。
【図６】本装置の流路を説明する切欠き縦断面である。
【符号の説明】
【００５０】
Ａ  本装置（活水装置）
ｐ  通水管
１  モジュール（活水化モジュール）
１０  管体
１０ｄ  分割体
１１  凹凸部
１２  分割端面
１２ａ  突起
１２ｂ  嵌合孔
１３  通水口
１４  スペーサーピン
１５  嵌合凹部
１６  嵌合凸部
２  外套管
２０  内面壁
３  接続管
３０  内溝ネジ
４  変流器（旋回変流器）
４０  外環部
４０ｅ  外周縁
４１  軸部
４１ｂ  凸部
４１ｄ  凹部
４２  変流羽根
【図１】
2009125451.tif 000003
【図２】
2009125451.tif 000004
【図３】
2009125451.tif 000005
【図４】
2009125451.tif 000006
【図５】
2009125451.tif 000007
【図６】
2009125451.tif 000008
【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
イオン線、磁力線、遠赤外線、又は微量放射線、を放射し得る１種または２種以上の鉱物を樹脂基材に混合させて成形して成る管体と、
該管体の内外側面の片面側または両面側に形成した複数の凹部または凸部と、
前記管体の側面を開口させた１または２以上の通水口と、から成り、
さらに前記管体の内面に内接する径の円環状の外環部と、前記管体の軸位置に配置した軸部と、該軸部から前記外環部へ放射状に架設させた複数枚の変流羽根とから成り、かつ該各変流羽根は前記管体の軸を廻る旋回流を引き起こさせる向きを持った傾斜面、又は曲面に形成して成る旋回変流器を、１個又は複数個を前記管体の軸方向に配設して成ることを特徴とする活水化モジュール。
【請求項２】
複数の凹部または凸部が、
管体側面を１周回する環状の凹部または凸部の多数個を連続させて管体の軸方向に沿って形成したもの、または螺旋状に連続させて形成したものであることを特徴とする請求項１記載の活水化モジュール。
【請求項３】
前記各旋回変流器が、
管体の内側面へ着脱自在であることを特徴とする請求項１、又は２記載の活水化モジュール。
【請求項４】
旋回変流器が、
イオン線、磁力線、遠赤外線、又は微量放射線、を放射し得る１種または２種以上の鉱物を樹脂基材に混合させて成形したこと特徴とする請求項１、２、又は３記載の活水化モジュール。
【請求項５】
旋回変流器の保持が、
管体内周面で一周回した凹部へ前記外環部の嵌合によるものであることを特徴とする請求項１、２、３、又は４記載の活水化モジュール。
【請求項６】
前記旋回変流器の複数個が、
その各軸部の端部どうしを互いに連結させた連続配置したことを特徴とする請求項１、２、３、４、又は５記載の活水化モジュール。
【請求項７】
旋回変流器の複数個の配置が、
管軸から見た前記変流羽根の相対的な位置関係が、所定角度ずつ軸回転させた配置であることを特徴とする請求項１、２、３、４、５、又は６記載の活水化モジュール。
【請求項８】
請求項１乃至請求項７の何れかに記載した活水化モジュールと、
１又は２以上の該活水化モジュールを収納する筒状の外套管と、
該外套管の両端部に配置した外部の流体供給管と接続する接続管と、
からなり、該活水化モジュールの外側面と前記外套管の管内面壁との間に流体の流路と成り得る間隙を設けて成ることを特徴とする活水装置。
【請求項９】
活水化モジュールの配置が、
外套管内に、複数個を連結した直列配置、又は並列配置としたことを特徴とする請求項８記載の活水装置。
【手続補正２】
【補正対象書類名】明細書
【補正対象項目名】０００１
【補正方法】変更
【補正の内容】
【０００１】
本発明は、液体、水、洗浄液、などと接触して活性のある水へ変質させる活水化モジュール、及びこれを用いた活水装置に関する。
【手続補正３】
【補正対象書類名】明細書
【補正対象項目名】０００２
【補正方法】変更
【補正の内容】
【０００２】
山間部に降った雨や積雪が地中に浸透した地下水は、やがて湧き水となり川の源流を形成する。この過程において、この水は鉱物や岩石からの遠赤外線やマイナスイオン作用、磁気作用により水分子の水素結合集団（クラスタ）が細分化されて、岩への衝突や滝からの落下などの水分子同士の摩擦から生じた電子を受け取り還元性の水となっていわゆる活性力を持った水（以下「活水」）と称されている。このような活水は、水路管内の錆やスラッジの発生を防止したりや管内壁面の洗浄作用、及び植物や野菜の鮮度維持や成長促進作用、並びに飲料水や料理水、または水浴した場合には人や動物の生理機能を高める健康増進作用、等の種々の機能的効果（以下、いわゆる「活水効果」と称する。）を有することが経験的、または推定的に知られている。なお現況においては、その過程においては科学的に立証されて確定したとは言い難いものではあるが、結果として有効的の機能的効果が発見又は推測されているところである。
【手続補正４】
【補正対象書類名】明細書
【補正対象項目名】０００３
【補正方法】変更
【補正の内容】
【０００３】
しかし、この活水状態はそれほど長く続くものではないことが知られており、時間の経過に伴って種々の有用な機能が失われていくという問題がある。時には瞬時に消滅する場合もあった。これを改善するものとして、この活水効果の発揮と継続を目的として流水空間や貯留空間に遠赤外線や微弱放射線を放射するセラミック材を配置したり、又は電場・磁場の形成手段を設置したりして、流水や貯留水を処理する装置（以下、「活水装置」と称する。）が提案、又は実施化されている。
【手続補正５】
【補正対象書類名】明細書
【補正対象項目名】０００５
【補正方法】変更
【補正の内容】
【０００５】
他にも、特許文献１の発明と同様に水道水の通水管等に介在可能なパイプ内に、水流によって軸回転する螺旋体を配置し、この螺旋体の間隙に活水材から構成したセラミック片を充填する構成の「活水装置」と称する水処理装置が開示されている（例えば、特許文献２参照。）。
【手続補正６】
【補正対象書類名】明細書
【補正対象項目名】０００６
【補正方法】変更
【補正の内容】
【０００６】
しかしながら、従来のこれらの水処理装置は、流路内で攪拌作用を促す等して高い活水効果を得るために、水処理装置の流路内において回転しつつ攪拌機能を得るため、特許文献１ではセラミック盤や衝当羽を配設しており、また特許文献２では螺旋体の配置やセラミック片の充填を行なうなどの構成をとっており、内部構造が複雑化してしまう問題点があった。
【手続補正７】
【補正対象書類名】明細書
【補正対象項目名】０００７
【補正方法】変更
【補正の内容】
【０００７】
このような内部構造が複雑化した水処理装置は、部品点数の増加や組立行程の煩雑さを招き、機能の信頼性が低くその維持と保守に課題があることに加え、導入価格及び維持管理費用の高価格化の課題もあった。また、設置現場に応じた設計仕様の変更、及び設置後の処理容量の変更に対しても適宜迅速に対応することが困難であった。
【手続補正８】
【補正対象書類名】明細書
【補正対象項目名】００１０
【補正方法】変更
【補正の内容】
【００１０】
先ず、活水化モジュール（以下、「モジュール」と略称する。）は、イオン線、磁力線、遠赤外線、又は微量放射線、を放射し得る１種又は２種以上の鉱物（以下、「機能性鉱物」と称する。）を樹脂基材に混合させて成形した管体と、該管体の内外側面の片面側又は両面側に形成した複数の凹部または凸部と、前記管体の側面を開口させた１又は２以上の通水口と、から構成したことを特徴としている。
【手続補正９】
【補正対象書類名】明細書
【補正対象項目名】００１４
【補正方法】変更
【補正の内容】
【００１４】
次に、上記した各仕様からなるモジュールの管体の内側には、流路中に置いた場合に管内流の流路を変える変流手段を配設したことを特徴としている。この変流手段は、管体と一体成形としても良いが、管体の内側面へ着脱自在であることを特徴としている。この変流手段を別体で形成した場合は、上記管体と同様の材質、すなわち上記の機能性鉱物を樹脂基材に混合させて成形するのが、より好ましいものである。また、この変流手段は、単なる流れに対する邪魔板用のものの他に、流れを旋回させる旋回変流器であることを特徴とする。
【手続補正１０】
【補正対象書類名】明細書
【補正対象項目名】００１５
【補正方法】変更
【補正の内容】
【００１５】
そして、この旋回変流器の構成は、リング状の外環部と、該外環部の中心に位置するロッド状の軸部と、該軸部から外環部へ放射状に架設させた複数枚の変流羽根と、から成ることを特徴としている。
【手続補正１１】
【補正対象書類名】明細書
【補正対象項目名】００１８
【補正方法】変更
【補正の内容】
【００１８】
次に、本願発明に係るモジュールの関連発明となる活水化装置は、上記各仕様構成のモジュールを、水や洗浄水などの流体の配管内に配置したものであり、モジュールを互いの管軸を揃えると共に、該モジュールの外側面と配管内面壁との間に流体の流路と成り得る間隙を設けて配管内に配置したことを特徴としている。
【手続補正１２】
【補正対象書類名】明細書
【補正対象項目名】００３０
【補正方法】変更
【補正の内容】
【００３０】
本装置Ａは、通常は、上水、中水、下水、及び洗浄水、等の流体供給管の途中に直列又は並列にして配置するものである。その接続箇所は一カ所又は複数カ所を問わない。
【手続補正書】
【提出日】平成23年4月27日(2011.4.27)
【手続補正１】
【補正対象書類名】特許請求の範囲
【補正対象項目名】請求項８
【補正方法】変更
【補正の内容】
【請求項８】
請求項１乃至請求項７の何れかに記載した活水化モジュールと、
１又は２以上の該活水化モジュールを収納する筒状の外套管と、
該外套管の両端部に配置した外部の流体供給管と接続する接続管と、
からなり、該活水化モジュールの外側面と前記外套管の管内面壁との間に水の流路と成り得る間隙を設けて成ることを特徴とする活水装置。
【手続補正２】
【補正対象書類名】明細書
【補正対象項目名】０００１
【補正方法】変更
【補正の内容】
【０００１】
本発明は、水と接触して活性のある水へ変質させる活水化モジュール、及びこれを用いた活水装置に関する。
【手続補正３】
【補正対象書類名】明細書
【補正対象項目名】００１８
【補正方法】変更
【補正の内容】
【００１８】
次に、本願発明に係るモジュールの関連発明となる活水化装置は、上記各仕様構成のモジュールを、水の配管内に配置したものであり、モジュールを互いの管軸を揃えると共に、該モジュールの外側面と配管内面壁との間に水の流路と成り得る間隙を設けて配管内に配置したことを特徴としている。
【手続補正４】
【補正対象書類名】明細書
【補正対象項目名】００２１
【補正方法】変更
【補正の内容】
【００２１】
モジュールを水の流路中に管軸を沿わして配置することにより、樹脂基材に混合した鉱物から放射されるイオン線、磁力線、遠赤外線、微量放射線、などの作用によって水を活水化させることができる。モジュールを管体状に形成すると共に、その側面の片面側又は両面側には流れを乱す凹凸部を形成しているため、側面に沿った流れを攪拌させて水粒子のモジュールへの接触を頻発させ、活水化作用を促進させることができる。側面を開口させた１箇所または２箇所以上に通水口を形成しているため、撹拌された水は通水口を通して管体の内側と外側においても交流してより活発な撹拌と接触が起こり、より効果的な活水化を図ることができる。
【手続補正５】
【補正対象書類名】明細書
【補正対象項目名】００２３
【補正方法】変更
【補正の内容】
【００２３】
また、さらにモジュールの管内には着脱自在な変流手段を配設しているため、管内流をより攪拌することができると共に、適宜の位置に配置することができる。この変流手段を旋回変流器とした場合は、管内流を旋回流または渦流とすることにより、管体の内外の交流を活発にすることができると共に、管内の停滞時間を長くしてより管体や旋回変流器との接触時間を長くすることができ、その結果、水の活水化をより効果的に行なうことができる。特に、旋回変流器の材質自体にも上記機能性鉱物を混合させている場合は、より顕著な効果を期待することができる。
【手続補正６】
【補正対象書類名】明細書
【補正対象項目名】００３０
【補正方法】変更
【補正の内容】
【００３０】
本装置Ａは、通常は、上水、中水、及び下水、等の供給管の途中に直列又は並列にして配置するものである。その接続箇所は一カ所又は複数カ所を問わない。
【手続補正７】
【補正対象書類名】明細書
【補正対象項目名】００３３
【補正方法】変更
【補正の内容】
【００３３】
このモジュール１は樹脂材を原料とした型枠成形によって製造されるが、この樹脂材にさらに、例えば、イオン線、磁力線、遠赤外線、各種の微量放射線を放射する物性を有する機能性鉱物を粉末状又は細粒状にして混合させている。この機能性鉱物としては、例えば、ブラックシリカ（黒鉛硅石）、黒曜石、麦飯石、トルマリンなどが挙げられる。そして、混合させる鉱物は、１種に限定するものではなく、対象とする液体や処理容量、などを考慮して、選択した２種以上のものを配合させて使用している。このようにして成形したモジュール１は、機能性鉱物を含む側面部材と接触したり、又は放射線を受けたりして水をより活水化させている。なお、モジュール１の樹脂基材は、例えば、ナイロン、ウレタン、シリコン、等が用いられる。
【手続補正８】
【補正対象書類名】明細書
【補正対象項目名】００３５
【補正方法】変更
【補正の内容】
【００３５】
この管状のモジュール１の内外側面（管の内外）には、側周面を管軸と垂直に１周回させた環状の凹凸部１１を管延長方向（又は管軸方向）へ所定間隔で（又は隣接させて）繰り返して形成している。その外観形態は、いわゆる蛇腹状を呈している。このように内外の側周面を凹凸状に形成することにより、管体１０の内側面及び外側面に沿う流れを乱して乱流状態として撹拌させる。これにより水の分子との接触する機会を増やして活水化をより促進することができる。
【手続補正９】
【補正対象書類名】明細書
【補正対象項目名】００３７
【補正方法】変更
【補正の内容】
【００３７】
また、モジュール１の円筒状の側面には、内外側を貫通させた通水口１３を形成している。この通水口１３の形状、形成位置、及び個数は、水の粘度、流量、流速、等を考慮して適宜に選択して設定される。
【手続補正１０】
【補正対象書類名】明細書
【補正対象項目名】００３８
【補正方法】変更
【補正の内容】
【００３８】
モジュール５の両端部付近の外側面には、周回４分割する位置で放射方向に突出させた複数個のスペーサーピン１４を植設している。このスペーサーピン１４により、外套管２の内面壁２０とモジュール１の外側面とに間隙を確保している。この空間内においても管軸に沿った流れが生じ、上記通水口１３を介した内外側流の交流によって、広範囲な水の移動と攪拌が行なわれる。
【国際調査報告】
2009125451.tif 000009
2009125451.tif 000010
2009125451.tif 000011
2009125451.tif 000012